(57)【要約】      （修正有）【課題】必要に応じて各照明ランプの照明角度を調整したり、特定の物体を照射したり、ランプ数量を増設したり、減少したりすることができる、非常用照明装置を提供する。【解決手段】多角度非常用照明装置２は、主に座体３と複数の照明ランプ４から構成され、そのうち、各照明ランプ４底部に設けた自在継手４１により、各照明ランプ４を設置現場に応じて必要な照射角度に調整したり、特定の物体に照射したりすることができ、且つ座体３内に自在継手４１を挿置することができる複数の連結体３２が設けられ、照明ランプ４を必要に応じて増加または減少することができる。【選択図】図３
0003145900.tif 000002
【実用新案登録請求の範囲】
【請求項１】
座体と、１つ以上の照明ランプを少なくとも含み、
前記座体に収容空間が設けられ、その内部に複数の連結体が設置され、前記照明ランプ底部に自在継手が設置され、
前記照明ランプ底部に設けられた前記自在継手により、照明ランプを必要な照明角度に調整したり、特定の物体に照射したりすることができ、且つ、
収容空間内に前記自在継手を挿置することができる前記複数の連結体を設けることで、照明ランプの数量を増設または減少することができるよう構成したことを特徴とする、多角度非常用照明装置。
【請求項２】
前記照明ランプが電球、ＬＥＤ、またはハロゲンランプのうち少なくとも何れかであって、照明効果を達するものであることを特徴とする、請求項１に記載の多角度非常用照明装置。
【請求項３】
前記座体上に透明カバーが設けられ、前記照明ランプを遮蔽し、保護するために用いられることを特徴とする、請求項１に記載の多角度非常用照明装置。
【請求項４】
前記座体内に給電装置を設けたことを特徴とする、請求項１に記載の多角度非常用照明装置。
【請求項５】
前記給電装置が充電可能な二次電池であることを特徴とする、請求項４に記載の多角度非常用照明装置。
【請求項６】
前記座体内に切換装置を設けたことを特徴とする、請求項１に記載の多角度非常用照明装置。
【考案の詳細な説明】
【技術分野】
【０００１】
本考案は多角度非常用照明装置に関し、特に、自ら光の照射角度を調整でき、且つ照明ランプを増減することができる、多角度非常用照明装置に関するものである。
【背景技術】
【０００２】
人口の密集が続き、建築物も絶え間なく増加し、建築物の高さも相対して高くなっているため、現代人は建築物で発生する可能性のある火災や緊急事態に対して特に注意を払うようになっている。公共の場所や建築物、ビルの各階層には消防法規に基づいて出入口や避難動線上に関連の表示設備、避難方向表示装置、緊急用照明装置などを設置する必要があり、これにより火災や地震、停電、緊急事態などが発生したとき、これらの装置で避難者が現場の状況と動線を完全に把握し、円滑に現場から避難して死傷者を減らすことができる。
【０００３】
図１に一般によく使用される緊急用照明装置１を示す。この装置は主に座体１０上に２つの照明ランプ１１が設置されたものであり、且つ該緊急用照明装置１はほとんどが公共の場所、建築物及びビルの各階層の出入口や避難動線上に設置され、平常の待機状態にあるときはオフの状態であり、火災や地震、停電、緊急事態などが発生し、建築物の電力が切断されると、この緊急用照明装置１がオンになり、座体１０上の２つの照明ランプ１１が照明の光線を発し、避難者は停電の暗闇の中でもこれら２つの照明ランプ１１が発する照明の光線が室内の物品や特定の位置を照らすことで、迅速に避難経路や非常口の位置を見つけることができる。
【０００４】
しかしながら、この緊急用照明装置１は照明機能を達することはできるものの、主に２つの照明ランプ１１でのみ照射を行うため、その照射効果に限りがあるだけでなく、緊急事態時にいずれかに故障が発生すると、その他代替用の予備照明がある場合を除き、大幅に緊急用照明装置１が発揮できる照明効果が損なわれてしまうため、問題である。
【０００５】
このため、上述の問題をいかに排除するかが本考案の考案者が解決を図る技術的問題点である。
【考案の開示】
【考案が解決しようとする課題】
【０００６】
本考案の考案者は上述の欠点に鑑みて、関連資料を収集し、多方面での評価と考慮を経て、且つ関連産業において累積した長年の経験に基づき絶え間なく試作と修正を重ね、ついにこの照明角度の調整と照明ランプの増減が可能で照明効果を向上することができる、本考案の開発に至ったものである。
【０００７】
本考案の第一の目的は、主に複数の照明ランプを座体の収容空間内に設置し、且つ各照明ランプの底部に自在継手を設け、該自在継手により必要に応じて各照明ランプの照明角度を調整したり、特定の物体を照射したりすることができ、火災や緊急事態が発生したとき、該非常用照明装置の照明ランプを互い違いに照射させて、照明、表示、導引効果を向上することができる、非常用照明装置を提供することにある。
【０００８】
本考案の第二の目的は、座体の収容空間内に自在継手を挿置することができる複数の連結体を設け、照明ランプを必要に応じて増設したり、数量を減少したりすることができる、非常用照明装置を提供することにある。
【０００９】
本考案の第三の目的は、複数の照明ランプが座体の収容空間内に設置され、且つ該座体が箱体の形態を成し、天井や壁面、地面内に嵌設することができ、設置空間を減少できるだけでなく、視覚上の美観を達することができる、非常用照明装置を提供することにある。
【課題を解決するための手段】
【００１０】
本考案の多角度非常用照明装置は、主に座体と複数の照明ランプから構成され、そのうち、各照明ランプ底部に設けた自在継手により、各照明ランプを設置現場に応じて必要な照射角度に調整したり、特定の物体に照射したりすることができ、且つ座体内に自在継手を挿置することができる複数の連結体が設けられ、照明ランプを必要に応じて増加または減少することができる。
【００１１】
すなわち、本願の第１の考案は、座体と、１つ以上の照明ランプを少なくとも含み、前記座体に収容空間が設けられ、その内部に複数の連結体が設置され、前記照明ランプ底部に自在継手が設置され、前記照明ランプ底部に設けられた前記自在継手により、照明ランプを必要な照明角度に調整したり、特定の物体に照射したりすることができ、且つ、収容空間内に前記自在継手を挿置することができる前記複数の連結体を設けることで、照明ランプの数量を増設または減少することができるよう構成したことを特徴とする、多角度非常用照明装置を提供する。
【００１２】
また、本願の第２の考案は、前記照明ランプが電球、ＬＥＤ、またはハロゲンランプのうち少なくとも何れかであって、照明効果を達するものであることを特徴とする、前記第１の考案の多角度非常用照明装置を提供する。
また、本願の第３の考案は、前記座体上に透明カバーが設けられ、前記照明ランプを遮蔽し、保護するために用いられることを特徴とする、前記第１の考案の多角度非常用照明装置を提供する。
また、本願の第４の考案は、前記座体内に給電装置を設けたことを特徴とする、前記第１の考案の多角度非常用照明装置を提供する。
また、本願の第５の考案は、前記給電装置が充電可能な二次電池であることを特徴とする、前記第４の考案の多角度非常用照明装置を提供する。
また、本願の第６の考案は、前記座体内に切換装置を設けたことを特徴とする、前記第１の考案の多角度非常用照明装置を提供する。
【考案の効果】
【００１３】
本考案によれば、各照明ランプ底部に設けた自在継手により、各照明ランプを設置現場に応じて必要な照射角度に調整したり、特定の物体に照射したりすることができ、且つ座体内に自在継手を挿置することができる複数の連結体が設けられ、照明ランプを必要に応じて増加または減少することができるという効果を少なくとも得ることができる。
【考案を実施するための最良の形態】
【００１４】
上述の目的及び効果を達するため、本考案が採用する技術手段及び構造について、以下、図面と本考案の最良の実施例に基づき、その特徴と機能を詳細に説明する。
【００１５】
図２、図３、図４に本考案の立体外観図、立体分解図、部分立体図をそれぞれ示す。これらの図からはっきりと分かるように、非常用照明装置２は主に座体３と、電球、ＬＥＤ、ハロゲンランプ等、関連の照明効果を達することができる複数の照明ランプ４と、透明カバー５から構成される。
【００１６】
座体３に収容空間３１が形成され、且つ該収容空間３１内に複数の連結体３２と、少なくとも１つの充電可能な二次電池から成る給電装置６と切換装置７が設置され、照明ランプ４は底部に自在継手４１が設けられ、該自在継手４１の他端を収容空間３１内の連結体３２に挿置することができ、収容空間３１上が透明カバー５で遮蔽され、その内部の複数の照明ランプ４が保護される。
【００１７】
上述の構造により、主に必要に応じて照明ランプ４の数量を増設または減少することができ、且つ、照明ランプ４底部に設けた自在継手４１により、各照明ランプ４の照射角度を調整したり、指定の物体を照射したりすることができる。
【００１８】
図５、図６、図７、図８、図９、図１０、図１１に本考案の最良の実施例図を示す（図３も併せて参照する）。これらの図からはっきりと分かるように、非常用照明装置２は非常口や避難動線に設置することができ、且つ各照明ランプ４底部に設けた自在継手４１の一端を必要な照明ランプ４の数量に応じて収容空間３１内部の連結体３２に挿置し、同時に各照明ランプ４底部に設けた自在継手４１により、各照明ランプ４の照射角度を調整したり、特定の物体を照射したりすることができ、調整後、透明カバー５を収容空間３１上に設置して遮蔽し、その内部の複数の照明ランプ４を保護する。
【００１９】
火災や地震、停電、緊急事態等が発生したときは、前記非常用照明装置２が起動され、且つ切換装置７で給電装置６での給電に切り換わり、その座体３内の複数の照明ランプ４の作動が開始され、室内や特定位置（非常口、避難出口、避難経路等）、特定の物体(ドアハンドル、レジ、ガスコンロ等のスイッチ)を照らす。例えば火災発生時に大量の濃い煙が発生したり、停電で避難者の視界がはっきりせず、明確に非常口の位置や避難動線を知ることができないとき、各照明ランプ４の異なる角度の光線が互い違いに照射され、非常用照明装置２の照明效果を高めることができるほか、同時に引導と表示の機能を達することができる。且つ、前記非常用照明装置２の座体３内には複数の照明ランプ４が設置されているため、そのうち一部の照明ランプ４が破損したときも、全体の照明効果に影響しない。
【００２０】
図１２、図１３、図１４に本考案の別の実施例図を示す（図３も併せて参照する）。これらの図からはっきりと分かるように、非常用照明装置２の座体３は箱体の形態に設計され、且つ複数の照明ランプ４がすべて座体３内部に設置され、且つ透明カバー５で遮蔽される。これにより、非常用照明装置２は地形の必要性や空間の必要性に応じて天井や壁面、地面内に嵌設し、設置に必要な空間を減少できるほか、建築物の設計に合わせて視覚上の美感を向上することができる。
【００２１】
以上の説明は本考案の最良の実施例に基づくものであり、本考案の特許範囲を制限するものではなく、本考案の明細書及び図面の内容を運用した同等効果の構造を直接的または間接的にその他関連技術領域に運用したものはすべて本考案の要旨の範囲内に含まれるものとする。
【図面の簡単な説明】
【００２２】
【図１】従来品の立体外観図である。
【図２】本考案の立体外観図である。
【図３】本考案の立体分解図である。
【図４】本考案の部分立体図である。
【図５】本考案の最良の実施例図１である。
【図６】本考案の最良の実施例図２である。
【図７】本考案の最良の実施例図３である。
【図８】本考案の最良の実施例図４である。
【図９】本考案の最良の実施例図５である。
【図１０】本考案の最良の実施例図６である。
【図１１】本考案の最良の実施例図７である。
【図１２】本考案の別の実施例図１である。
【図１３】本考案の別の実施例図２である。
【図１４】本考案の別の実施例図３である。
【符号の説明】
【００２３】
１        緊急用照明装置
１０      座体
１１      照明ランプ
２        非常用照明装置
３        座体
３１      収容空間
３２      連結体
４        照明ランプ
４１      自在継手
５        透明カバー
６        給電装置
７        切換装置
【図１】
0003145900.tif 000003
【図２】
0003145900.tif 000004
【図３】
0003145900.tif 000005
【図４】
0003145900.tif 000006
【図５】
0003145900.tif 000007
【図６】
0003145900.tif 000008
【図７】
0003145900.tif 000009
【図８】
0003145900.tif 000010
【図９】
0003145900.tif 000011
【図１０】
0003145900.tif 000012
【図１１】
0003145900.tif 000013
【図１２】
0003145900.tif 000014
【図１３】
0003145900.tif 000015
【図１４】
0003145900.tif 000016